【手続補正書】
【提出日】平成16年4月1日(2004.4.1)
【手続補正１】
【補正対象書類名】明細書
【補正対象項目名】特許請求の範囲
【補正方法】変更
【補正の内容】
【特許請求の範囲】
【請求項１】
表示画面上における所定の第１領域に、地図データに基づいて、第１画像である地図画面を表示し、
前記表示画面上における所定の第２領域に、地球表面を写した画像データに基づいて、第２画像を表示することによって、前記表示画面上での前記第１画像と前記第２画像との複合表示を実現するものであり、
前記所定の第２領域に、スケールの異なる２タイプ以上の前記第２画像を表示し得る第１の表示制御手段を備えたナビゲーション装置であって、
前記所定の第２領域への前記第２画像の表示スケールに関する初期条件が、所定の第１スケールに設定されていることを特徴とするナビゲーション装置。
【請求項２】
前記第１の表示制御手段が、前記所定の第２領域に、広域表示となるスケール、及び詳細表示となるスケールでの前記第２画像を表示し得るように構成され、
前記所定の第１スケールが、前記広域表示となるスケールに設定されていることを特徴とする請求項１記載のナビゲーション装置。
【請求項３】
前記所定の第２領域に表示されている前記第２画像のスケール切り替えの指示があった場合、
前記第１の表示制御手段が、前記指示に応答して、前記所定の第２領域に、切り替え前とはスケールの異なる前記第２画像を表示するものであることを特徴とする請求項１又は請求項２記載のナビゲーション装置。
【請求項４】
前記表示画面上における所定の第３領域に、前記地図データに基づいて、前記第１画像である地図画面が表示されているときに、前記所定の第３領域における表示を、前記第１画面から前記第２画像へ切り替える切り替え指示があった場合、
該切り替え指示に応答して、前記所定の第３領域に、前記地球表面を写した画像データに基づいて、前記第２画像を表示する第２の表示制御手段を備えていることを特徴とする請求項１〜３のいずれかの項に記載のナビゲーション装置。
【請求項５】
前記第２の表示制御手段が、前記所定の第３領域に、スケールの異なる２タイプ以上の前記第２画像を表示し得るものであり、
前記所定の第３領域への前記第２画像の表示スケールに関する初期条件が、前記所定の第１スケールとは異なる所定の第２スケールに設定されていることを特徴とする請求項４記載のナビゲーション装置。
【手続補正２】
【補正対象書類名】明細書
【補正対象項目名】００１０
【補正方法】変更
【補正の内容】
【００１０】
【課題を解決するための手段及びその効果】
上記目的を達成するために本発明に係るナビゲーション装置（１）は、表示画面上における所定の第１領域に、地図データに基づいて、第１画像である地図画面を表示し、前記表示画面上における所定の第２領域に、地球表面を写した画像データに基づいて、第２画像を表示することによって、前記表示画面上での前記第１画像と前記第２画像との複合表示を実現するものであり、前記所定の第２領域に、スケールの異なる２タイプ以上の前記第２画像を表示し得る第１の表示制御手段を備えたナビゲーション装置であって、前記所定の第２領域への前記第２画像の表示スケールに関する初期条件が、所定の第１スケールに設定されていることを特徴としている。


【手続補正３】
【補正対象書類名】明細書
【補正対象項目名】００１１
【補正方法】変更
【補正の内容】
【００１１】
上記ナビゲーション装置（１）によれば、前記表示画面上における前記所定の第１領域に、前記第１画像である前記地図画面を表示し、他方、前記所定の第２領域に、前記第２画像（例えば、地球表面を写した衛星写真や航空写真などの実画像）を表示することができ、例えば、図８に示したように、前記表示画面上の左半分に、前記第１画像である前記地図画面を表示し、残りの右半分に、前記第２画像を表示することができるようになっている。従って、前記表示画面上には前記地図画面だけでなく、衛星写真などの実画像が表示されるので、ユーザーに十分な情報を提供することができる。


【手続補正４】
【補正対象書類名】明細書
【補正対象項目名】００１２
【補正方法】変更
【補正の内容】
【００１２】
また、前記所定の第２領域には、スケールの異なる２タイプ以上の前記第２画像（例えば、広域表示の画像、詳細表示の画像）の表示が可能であり、さらには、前記所定の第２領域への前記第２画像の表示スケールに関する初期条件（デフォルト条件）が、前記所定の第１スケール（例えば、広域表示の画像を表示するスケール）に設定されている。


【手続補正５】
【補正対象書類名】明細書
【補正対象項目名】００１３
【補正方法】変更
【補正の内容】
【００１３】
従って、例えば、前記表示画面上の全面に、前記地図画面が表示されている状態（図６）から、前記表示画面上の左半分に、前記第１画像である前記地図画面を表示し、残りの右半分に、前記第２画像を表示するように切り替える場合、前記残りの右半分には、前記所定の第１スケールの実画像が表示されることとなる（図８）。


【手続補正６】
【補正対象書類名】明細書
【補正対象項目名】００１４
【補正方法】変更
【補正の内容】
【００１４】
また、上記したように、前記所定の第２領域には、スケールの異なる２タイプ以上の前記第２画像の表示が可能となっており、本来ならば、ユーザーからどのスケールの前記第２画像を表示させるのかといった指示を受ける必要があるが、上記ナビゲーション装置（１）では、前記所定の第２領域への前記第２画像の表示スケールに関する初期条件が設定されており、ユーザーが前記指示をいちいち行わなくても良いので、ユーザーにとって非常に使い勝手の良いものとすることができる。


【手続補正７】
【補正対象書類名】明細書
【補正対象項目名】００１５
【補正方法】変更
【補正の内容】
【００１５】
また、本発明に係るナビゲーション装置（２）は、上記ナビゲーション装置（１）において、前記第１の表示制御手段が、前記所定の第２領域に、広域表示となるスケール、及び詳細表示となるスケールでの前記第２画像を表示し得るように構成され、前記所定の第１スケールが、前記広域表示となるスケールに設定されていることを特徴としている。


【手続補正８】
【補正対象書類名】明細書
【補正対象項目名】００２０
【補正方法】変更
【補正の内容】
【００２０】
ところが、上記ナビゲーション装置（２）によれば、前記所定の第１スケールが、前記広域表示となるスケールに設定されており、前記表示画面上の前記所定の第２領域に、（詳細な表示の前記第２画像ではなく）広域表示の前記第２画像が表示されることとなる。従って、前記表示画面上の前記所定の第２領域という狭められた領域に、前記第２画像を表示する場合であったとしても、ユーザーに多くの情報を提供することができる。


【手続補正９】
【補正対象書類名】明細書
【補正対象項目名】００２１
【補正方法】変更
【補正の内容】
【００２１】
また、本発明に係るナビゲーション装置（３）は、上記ナビゲーション装置（１）又は（２）において、前記所定の第２領域に表示されている前記第２画像のスケール切り替えの指示があった場合、前記第１の表示制御手段が、前記指示に応答して、前記所定の第２領域に、切り替え前とはスケールの異なる前記第２画像を表示するものであることを特徴としている。


【手続補正１０】
【補正対象書類名】明細書
【補正対象項目名】００２２
【補正方法】変更
【補正の内容】
【００２２】
上記ナビゲーション装置（３）によれば、前記所定の第２領域に表示されている前記第２画像のスケール切り替えの指示があると、前記所定の第２領域に、切り替え前とはスケールの異なる前記第２画像が表示されるので、ユーザーは自分の望むように、前記第２画像のスケールを切り替えることができる。


【手続補正１１】
【補正対象書類名】明細書
【補正対象項目名】００２３
【補正方法】変更
【補正の内容】
【００２３】
また、本発明に係るナビゲーション装置（４）は、上記ナビゲーション装置（１）〜（３）のいずれかにおいて、前記表示画面上における所定の第３領域に、前記地図データに基づいて、前記第１画像である地図画面が表示されているときに、前記所定の第３領域における表示を、前記第１画面から前記第２画像へ切り替える切り替え指示があった場合、該切り替え指示に応答して、前記所定の第３領域に、前記地球表面を写した画像データに基づいて、前記第２画像を表示する第２の表示制御手段を備えていることを特徴としている。


【手続補正１２】
【補正対象書類名】明細書
【補正対象項目名】００２４
【補正方法】変更
【補正の内容】
【００２４】
上記ナビゲーション装置（４）によれば、前記表示画面上における前記所定の第３領域への表示画像を、前記第１画像である前記地図画面から前記第２画像（例えば、地球表面を写した衛星写真や航空写真などの実画像）へ切り替えることができる。例えば、前記表示画面上の全面に前記地図画面が表示されている場合（図６）に、前記表示画面上の全面を前記地図画面から前記第２画像へ切り替えることができる（図７）。


【手続補正１３】
【補正対象書類名】明細書
【補正対象項目名】００２５
【補正方法】変更
【補正の内容】
【００２５】
また、本発明に係るナビゲーション装置（５）は、上記ナビゲーション装置（４）において、前記第２の表示制御手段は、前記所定の第３領域に、スケールの異なる２タイプ以上の前記第２画像を表示し得るものであり、前記所定の第３領域への前記第２画像の表示スケールに関する初期条件が、前記所定の第１スケールとは異なる所定の第２スケールに設定されていることを特徴としている。


【手続補正１４】
【補正対象書類名】明細書
【補正対象項目名】００２６
【補正方法】変更
【補正の内容】
【００２６】
前記所定の第３領域には、スケールの異なる２タイプ以上の前記第２画像（例えば、広域表示の画像、詳細表示の画像）の表示が可能であり、さらには、前記所定の第３領域への前記第３画像の表示スケールに関する初期条件が、前記所定の第１スケールとは異なる前記所定の第２スケール（例えば、詳細表示の画像を表示するスケール）に設定されている。


【手続補正１５】
【補正対象書類名】明細書
【補正対象項目名】００２７
【補正方法】変更
【補正の内容】
【００２７】
従って、例えば、前記表示画面上の全面に、前記第１画像である前記地図画面が表示されている状態（図６）から、前記表示画面上の全面に、前記第２画像を表示するように切り替える場合、前記表示画面上の全面には前記所定の第２スケールの前記第２画像が表示されることとなる（図７）。


【手続補正１６】
【補正対象書類名】明細書
【補正対象項目名】００２８
【補正方法】変更
【補正の内容】
【００２８】
また、上記したように、前記所定の第３領域には、スケールの異なる２タイプ以上の前記第２画像の表示が可能となっており、本来ならば、ユーザーからどのスケールの前記第２画像を表示させるのかといった指示を受ける必要があるが、上記ナビゲーション装置（５）では、前記所定の第３領域への前記第２画像の表示スケールに関するデフォルト条件が設定されており、ユーザーが前記指示をいちいち行わなくても良いので、ユーザーにとって非常に使い勝手の良いものとすることができる。また、前記表示画面上における前記所定の第２領域に表示する場合と、前記第２画像のスケールが異なっているので、ユーザーにより有意義な情報を提供することができる。